(57)【要約】  本発明は集光レンズを介して眼底を間接的に視覚化する装置に関する。この装置は、一般的な間接検眼鏡に対して軽い重量および比較的単純な構造によって特徴づけられ、それによって眼の背後の画像を直立させる見ることができる。これにより、この装置を利用するための訓練の間に存在する多くの厄介な問題を回避することができ、得られた画像の解釈する必要がなく、かついかなる病理学的な変化についてもその正確な位置を医師が決定できる。【特許請求の範囲】
【請求項１】
上下方向および水平方向に作用する集光レンズにより眼の背後の既に逆転している画像を逆転させることにより正立画像を得る、眼底の正立画像を観察するために用いる双眼間接検眼鏡。このことは２つのグループに配置された多くの逆転面を用いることにより達成され、逆転している画像の位置を（上側から下側へと向きを変えて）逆転させ、一側から他側へと水平方向に画像を反転させて正立画像を生じさせる。
【請求項２】
前記逆転面が、１型あるいは２型の２つのポロプリズムあるいは相当するミラー構造の組から構成されていることを特徴とする請求項１に記載の双眼間接検眼鏡。
【請求項３】
画像を上下方向に逆転させる２つの直角プリズムあるいは相当するミラー構造が隣接して配置されていることを特徴とする請求項１に記載の双眼間接検眼鏡。
【請求項４】
画像を水平方向に反転させる２つの直角プリズムあるいは相当するミラー構造が、２つの上下方向のプリズムあるいは相当するミラー構造に隣接してかつ垂直に配置され、
かつユーザーの２つの瞳孔の間の距離に合わせて右側および左側の画像の両方を横方向に変位させるように機能することを特徴とする請求項１に記載の双眼間接的な検眼鏡。
【請求項５】
右側のアイピースおよび左側のアイピースを含むことを特徴とする請求項１に記載の双眼間接検眼鏡。
【請求項６】
各アイピースがレンズを含んでいることを特徴とする請求項５に記載の双眼間接検眼鏡。
【請求項７】
各アイピースのレンズのジオプトリーが＋２であることを特徴とする請求項６に記載の双眼間接検眼鏡。
【請求項８】
前記２つのアイピースが、ユーザーの２つの瞳孔の間の距離に合わせて可動であることを特徴とする請求項１に記載の双眼間接的な検眼鏡。
【請求項９】
前記第１および第２の逆転配列と前記２つのアイピースが前記目視検査ユニットに組み込まれており、この目視検査ユニットは、前記目視検査ユニットをユーザーの頭部に支持するためのヘッドベルトに接続されたカバーを有していることを特徴とする請求項５に記載の双眼間接検眼鏡。
【請求項１０】
検査する眼底を明るくするための光源をもたらす、目視検査ユニットに接続された照明ユニットを有し、この照明ユニットは、外部電源あるいはこの装置を可動とする充電可能な電池に接続することができることを特徴とする請求項９に記載の双眼間接検眼鏡。
【請求項１１】
光源からの光および検査する眼に当たる光点の寸法を管理するための補助的な要素を有していることを特徴とする請求項１０に記載の双眼間接検眼鏡。
【発明の詳細な説明】
【技術分野】
【０００１】
この装置は、双眼間接検眼鏡として公知のグループの装置、すなわち眼の背後に影響を及ぼす種々の状況を診断するべく眼科医あるいは検眼士が眼の背後を検査するために用いる医療装置に関する。
【背景技術】
【０００２】
検眼鏡は、眼科医が患者を検査する際に普通に用いる、眼の背後を間接的に画像化するための最も重要な装置の一つである。それは、網膜、視神経および硝子体を観測するために不可欠である。間接的に眼底を検査する装置として分類される様々なモデルおよびタイプがあるが、その全ては光学的に同一な原理に基づいている。すなわち、患者の眼の前方に配置した集光レンズ（ハイパワーの凸面レンズ）を用いて、眼科医は眼の背後の倒立した実際の画像を見る。すると、医師の眼前にあるこの視覚システムは、倒立した画像を２つの倒立した画像に変換し、医師の２つの眼の前に眼底の立体的な倒立画像を形成する。
【０００３】
そのような目的のために入手可能な現在の装置は、眼の背後の倒立画像を形成するため、そのような検眼鏡を利用する際に未熟練な眼科医に大きな混乱を生じさせるという短所がある。眼科の内科学および外科学において用いられる大半の診断装置に反して、彼らは眼の背後の倒立した画像に精通しなければならない。そのため、その装置の実習期間が長くなり、かつその利用を複雑なものにしている。そのような従来の装置は、コストが嵩むばかりでなく通常は重量もより重い。
【０００４】
本発明は、視野場の拡大および明暸性に関して従来装置と同じ利点を有した画像を提供するが、それは正立した画像の形成によって置き換えられている。したがって、得られた画像の反転状態を医師が想像する必要はない。この装置は、低コストであるとともにある程度は構造が簡単であり、かつ以下の特徴を有している。
【０００５】
(１)  正立した画像を得るために用いる技術は、視覚ユニットの全体サイズを減少させるばかりでなくその重量を軽くし、その利用をより容易なものとする。この装置にはまた、予期される機能のために、集光レンズ、学習用ミラー(learning mirrors)等の、従来装置の部品と互換性がある付属部分およびアクセサリを設けることができる。
(２)  設計の単純性に関しては、透光体あるいは逆転面のｂｉｊ数(bij number)、基づいていないので、画像の鮮明度は実用性および適用性において実現可能である。
(３)  技術的には、関連発明に用いる光学的な原理は立体画像を生じさせ、同時に視野場を拡大する。
(４)  大幅に低コストであり、したがって製造の総コストを低減する。
【発明の開示】
【０００６】
この正立した眼底画像を生じさせる双眼間接検眼鏡は、上下方向および水平方向に作用する集光レンズを用いることにより、眼の背後のすでに倒立している像を逆転させるように動作して正立画像を得る。このことは、２つの配列として配置された多くの逆転面を用いることにより達成される。その一方は、画像を上下方向に逆転させる上下方向逆転用の第１の配列であり、その他方は、ユーザーの２つの瞳孔の間の距離に合わせて横方向にそれを変位させるとともに一側から他側へと水平方向に画像を反転させる水平方向反転用の第２の配列である。このようにして、倒立した像は、２ジオプトリの凸レンズを横切った後、集光レンズによって２つの分離した正立像としてそれぞれの眼の前方に変換される。この装置にはまた、光源、ヘッドベルト、他の機械部品、および間接検眼鏡のために必要なバインダが設けられる。
【０００７】
集光レンズによって形成された逆転−反転している基底部の画像は、ミラーあるいはポロ１型あるいは２型プリズムである第１（中央）反射面に受け取られる。
【０００８】
ポロプリズム１型あるいはそれに相当するミラー構造を用いる場合には、集光レンズによって形成された画像は、上下方向のプリズム／ミラーに受け取られて上下方向に逆転されるわずかに異なる２つの画像に分割され、これらの２つの画像を横方向に反転させる水平プリズム／ミラーに受け取られて、再逆転および再反転されるとともに、検査者の眼幅に適するように横方向にシフトされて２つの最終イメージが得られる。
【０００９】
ポロプリズム２型あるいはそれに相当するミラー構造のモデルにおいては、集光レンズによって形成された画像は中央プリズム／ミラーに受け取られて上下方向および水平方向に回転し、横方向のプリズム／ミラーに供給されて完全に再逆転および再反転され、かつ検査者の眼幅にフィットするように横方向にシフトされる。
【００１０】
この装置はまた、例えばポロプリズム１型あるいは相当するミラーモデルにおけるようにプリズム／ミラーを傾け、あるいはポロ２型あるいは相当するミラーモデルにおけるようにそれらを水平方向に分離する、眼幅を制御するための手段を含む。
【００１１】
この装置は、眼の背後を間接的に検査する一種の検眼鏡に区分される。この装置は、網膜および硝子体における全ての疾患の診断、および網膜に共通する操作を行う際に一般的に用いることができる。この装置は、正立した画像で眼を詳しく調べることができるという追加の利点を有する。
【図面の簡単な説明】
【００１２】
【図１】１−眼の背後の倒立像、２−水平方向の直角プリズム、３−上下方向の直角プリズム、  ４−最終的な眼の背後の正立像
【図２】１−第１グループの反射面、  ２−第２グループの反射面、  ３−アイピース内部の正レンズ（＋２）、  ４−光線制御装置、  ５−眼幅制御装置、  ６−光源、  ７−機械部品
【図１】
2009509699.tif 000002
【図２Ａ】
2009509699.tif 000003
【図２Ｂ】
2009509699.tif 000004
【国際調査報告】
2009509699.tif 000005
2009509699.tif 000006